(57)【要約】【課題】  加熱庫の扉が閉位置又は開位置にある場合に低コストに安定感が得られる加熱調理器を提供する。【解決手段】  本発明の加熱調理器は、被加熱物（１１）を収容するための加熱庫（２）、前記加熱庫（２）の開口を開閉する扉（３）、前記加熱庫（２）内を加熱するヒータ（９）、前記加熱庫（２）の外部に固定されたガイド部（７）、受皿（５）を着脱可能に支持し、前記扉（３）が装着され、前記ガイド部（７）に対して摺動可能な被ガイド部（６）、前記加熱庫（２）の外部に前記被ガイド部（６）と連動しないで固定された第１の磁石（Ｍ１）、及び前記被ガイド部（６）と連動する第２の磁石（Ｍ２）、を有し、前記第１の磁石（Ｍ１）と前記第２の磁石（Ｍ２）とが互いに異極で対向することによって、磁石の吸引力で前記扉（３）の位置を安定させる。【選択図】    図１
2006308253.tif 000002
【特許請求の範囲】
【請求項１】
被加熱物を収容するための加熱庫、
前記加熱庫の開口を開閉する扉、
前記加熱庫内を加熱するヒータ、
前記加熱庫の外部に固定されたガイド部、
受皿を着脱可能に支持し、前記扉が装着され、前記ガイド部に対して摺動可能な被ガイド部、
前記加熱庫の外部に前記被ガイド部と連動しないで固定された第１の磁石、及び
前記被ガイド部と連動する第２の磁石、を有し、
前記第１の磁石と前記第２の磁石とが互いに異極で対向することによって、磁石の吸引力で前記扉の位置を安定させる
ことを特徴とする加熱調理器。
【請求項２】
前記扉の閉状態において、前記第１の磁石と前記第２の磁石とが互いに異極で対向することによって、前記扉の閉位置を安定させることを特徴とする請求項１に記載の加熱調理器。
【請求項３】
前記扉の開状態において、前記第１の磁石と前記第２の磁石とが互いに異極で対向することによって、前記扉の開位置を安定させることを特徴とする請求項１に記載の加熱調理器。
【請求項４】
前記加熱庫の外部に前記被ガイド部と連動しないで固定された第３の磁石をさらに有し、
前記扉の閉状態において、前記第１の磁石と前記第２の磁石とが互いに異極で対向することによって、前記扉の閉位置を安定させ、前記扉の開状態において、前記第３の磁石と前記第２の磁石とが異極で対向することによって、前記扉の開位置を安定させる
ことを特徴とする請求項１に記載の加熱調理器。
【請求項５】
前記被ガイド部と連動する第３の磁石をさらに有し、
前記扉の閉状態において、前記第１の磁石と前記第３の磁石とが互いに異極で対向することによって、前記扉の閉位置を安定させ、前記扉の開状態において、前記第１の磁石と前記第２の磁石とが異極で対向することによって、前記扉の開位置を安定させる
ことを特徴とする請求項１に記載の加熱調理器。
【発明の詳細な説明】
【技術分野】
【０００１】
本発明は、加熱調理器に関する。特に、低コストに扉の位置を安定化する加熱調理器に関する。
【背景技術】
【０００２】
加熱庫内に引き出し可能に収納された受皿を加熱庫の扉と共に出し入れを行う加熱調理器において、受皿の出し入れに伴うガタツキや磨耗を低減し、操作感を改善するための構成が特許文献１に開示されている。
【０００３】
特許文献１に開示された従来例の加熱調理器は、加熱庫に固定されたガイド部と、受皿を支持する被ガイド部とを有し、被ガイド部がガイド部に対してベアリングやローラー等のころがり軸受によって摺動する。
【０００４】
従来例の加熱調理器は、このような構成により、受皿の出し入れに伴うガタツキや磨耗を低減し、スムーズに受皿の出し入れを行うものであった。
【０００５】
【特許文献１】特開２００４−２６３８９９号公報
【発明の開示】
【発明が解決しようとする課題】
【０００６】
しかしながら、上記の従来例の加熱調理器は、受皿のスムーズな出し入れを可能とする一方で、被ガイド部とガイド部との間に働く摩擦力が小さく、加熱庫の扉が閉位置又は開位置にある場合に、安定感が得られない、という問題があった。従来例の加熱調理器では、扉が完全に閉まったかどうか、あるいは、扉が完全に開いたかどうかを、使用者が明確に感じ取ることができなかった。また、従来例のグリルでは、加熱調理器の設置箇所の微小な傾きや、外部からの振動等によって、扉が勝手に開いたり閉じたりする可能性がある。
【０００７】
この対策として、例えば、ガイド部及び被ガイド部に設けられた凹部及び凸部が、扉の閉位置又は開位置で互いに嵌合することによって、安定感を得る方法が考えうるが、扉の開時又は閉時にガイド部及び被ガイド部が接触するため、不快な金属音や騒音が発生する。さらに、凹部及び凸部が使用期間を経るにつれて磨耗し、安定感の信頼性が低下する。
【０００８】
本発明は、上記問題に鑑み、加熱庫の扉が閉位置又は開位置にある場合に低コストに安定感が得られる加熱調理器を提供することを課題とする。
【課題を解決するための手段】
【０００９】
上記問題を解決するために、本発明は以下の構成を有する。
請求項１に記載の加熱調理器は、被加熱物を収容するための加熱庫、前記加熱庫の開口を開閉する扉、前記加熱庫内を加熱するヒータ、前記加熱庫の外部に固定されたガイド部、受皿を着脱可能に支持し、前記扉が装着され、前記ガイド部に対して摺動可能な被ガイド部、前記加熱庫の外部に前記被ガイド部と連動しないで固定された第１の磁石、及び前記被ガイド部と連動する第２の磁石、を有し、前記第１の磁石と前記第２の磁石とが互いに異極で対向することによって、磁石の吸引力で前記扉の位置を安定させる。
【００１０】
この発明によれば、加熱庫の外部に固定された第１の磁石及び被ガイド部と連動する第２の磁石の異極同士が引き合う磁気力（磁石の吸引力）によって、非接触で扉の位置を安定させる。扉の閉時又は開時、扉の閉位置又は開位置の若干前において、磁石の吸引力によって扉が閉位置又は開位置に引き付けられる。これにより、使用者は、扉が完全に閉まったかどうか、あるいは、扉が完全に開いたかどうかを明確に感じ取ることができる。また、加熱調理器の設置箇所の微小な傾きや、外部からの振動等によって、扉が勝手に開いたり閉じたりすることがなく安定である。また、第１の磁石と第２の磁石とは非接触であるので、扉の開時又は閉時に不快な金属音や騒音を発生することがなく、使用期間を経ても磨耗による信頼性の低下が無い。磁石は低コストである。上記の構成によれば、加熱庫の扉が閉位置又は開位置にある場合に低コストに安定感が得られる加熱調理器を実現できる、という有利な効果を奏する。
【００１１】
請求項２に記載の加熱調理器は、請求項１に記載の加熱調理器において、前記扉の閉状態において、前記第１の磁石と前記第２の磁石とが互いに異極で対向することによって、前記扉の閉位置を安定させる。「扉の閉位置」とは、加熱庫の開口が完全かつ安全に閉まった状態における、使用者から見た扉の前後方向の位置を言う。
この発明によれば、扉の閉状態において、扉の閉位置を安定させることができる、あるいは、扉の加熱庫の開口に対する密閉性を高めることができる、という効果を有する。
【００１２】
請求項３に記載の加熱調理器は、請求項１に記載の加熱調理器において、前記扉の開状態において、前記第１の磁石と前記第２の磁石とが互いに異極で対向することによって、前記扉の開位置を安定させる。「扉の開位置」とは、加熱庫の開口が開き、受皿を容易に着脱できる状態における、使用者から見た扉の前後方向の位置を言う。
この発明によれば、扉の開状態において、扉の開位置を安定させることができる、という効果を有する。
【００１３】
請求項４に記載の加熱調理器は、請求項１に記載の加熱調理器において、前記加熱庫の外部に前記被ガイド部と連動しないで固定された第３の磁石をさらに有し、前記扉の閉状態において、前記第１の磁石と前記第２の磁石とが互いに異極で対向することによって、前記扉の閉位置を安定させ、前記扉の開状態において、前記第３の磁石と前記第２の磁石とが異極で対向することによって、前記扉の開位置を安定させる。
また、請求項５に記載の加熱調理器は、請求項１に記載の加熱調理器において、前記被ガイド部と連動する第３の磁石をさらに有し、前記扉の閉状態において、前記第１の磁石と前記第３の磁石とが互いに異極で対向することによって、前記扉の閉位置を安定させ、前記扉の開状態において、前記第１の磁石と前記第２の磁石とが異極で対向することによって、前記扉の開位置を安定させる。
「扉の閉位置」とは、加熱庫の開口が完全かつ安全に閉まった状態における、使用者から見た扉の前後方向の位置を言う。「扉の開位置」とは、加熱庫の開口が開き、受皿を容易に着脱できる状態における、使用者から見た扉の前後方向の位置を言う。
これらの発明によれば、加熱庫の外部に固定された第３の磁石、又は、被ガイド部と連動する第３の磁石をさらに有することで、扉の開状態及び閉状態の両方において、扉の位置を安定させることができるという効果を有する。
【発明の効果】
【００１４】
本発明によれば、加熱庫の扉が閉位置又は開位置にある場合に低コストに安定感が得られる加熱調理器を実現できるという有利な効果が得られる。
【発明を実施するための最良の形態】
【００１５】
以下本発明の実施をするための最良の形態を具体的に示した実施例について、図面とともに記載する。
【実施例１】
【００１６】
図１、図２、及び図９を参照して、実施例１における本発明の加熱調理器について説明する。図９は、本実施例における加熱調理器の構成を示す図である。図１は、本実施例における加熱調理器１の要部の構成を示す図である。
【００１７】
図９において、加熱調理器１は、加熱庫２、扉３、扉支持部４、受皿支持部８、ヒータ９、電磁誘導コイル１２、排気口１３、ガラストッププレート１４を有し、キッチンのキャビネットＣＢに一体的に組み込まれている。
【００１８】
扉３は、扉支持部４に支持され、加熱庫２の前面（図９において左側）の開口部の開閉を行う。扉支持部４には、受皿支持部８が固定されている。受皿支持部８は、受皿５を着脱可能に支持する。扉支持部４には、後に詳細を説明する図１における被ガイド部６が固定され、加熱庫２には、後に詳細を説明する図１におけるガイド部７が固定されている。このガイド部７が被ガイド部６に対して摺動可能にガイドされることによって、受皿支持部８に支持された受皿５は、被ガイド部６、扉支持部４、及び扉３と共に引き出し可能に、加熱庫２内に収納される。
【００１９】
受皿５には、被加熱物１１を載置するための焼き網１０が受皿５に対して着脱可能にセットされる。受皿５にセットされた焼き網１０は、被加熱物１１と共に加熱庫２内に収納され、被加熱物１１はヒータ９によって加熱調理される。図９において、加熱調理器１は２つのヒータ９を有する。焼き網１０の上面及び被加熱物１１は、加熱庫２内で、２つのヒータ９の間に収納されるので、被加熱物１１は両面から加熱調理される。
【００２０】
加熱調理器１は、加熱庫２の内部と外部を接続するための排気口１３を有する。加熱調理器１は、ファン等により、排気口１３を介して、被加熱物１１の加熱に伴う熱や油煙等を外部に排出する。
【００２１】
加熱調理器１は、ヒータ９による加熱の他に、図９に示すように、電磁誘導コイル１２による加熱を行っても良い。加熱庫２の上部に設けられた電磁誘導コイル１２は、ガラストッププレート１４上に載置された鍋１５を誘導加熱する。これにより、鍋１５内の被加熱物１７が加熱調理される。
【００２２】
ヒータ９による加熱調理の開始、停止及び加熱加減の調整、及び電磁誘導コイル１２による加熱調理の開始、停止及び加熱加減の調整等は、図示しない操作部を使用者が操作することによって行われる。
【００２３】
図１を参照して、本発明の加熱調理器１の主要部分について説明する
図１において、加熱庫２、扉３、扉支持部４、受皿５、受皿支持部８については、既に図９を用いて説明した。ガイド部７は、加熱庫２の外側の側面に固定されている。ガイド部７の所定の位置には、第１の磁石Ｍ１が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ２が配設されている。第１の磁石Ｍ１及び第２の磁石Ｍ２は、扉３の閉位置で互いに異極で対向するように配設される。
【００２４】
被ガイド部６は、ガイド部７に対してスムーズに摺動可能に嵌合されている。スムーズに摺動可能にするために、例えば、被ガイド部６及びガイド部７にベアリングやローラー等のころがり軸受を用いることが好ましい。
【００２５】
図２は、扉３の閉時及び開時における第１の磁石Ｍ１及び第２の磁石Ｍ２の位置関係を示す図である。図２（ａ）に示すように、扉３の開時において、第１の磁石Ｍ１及び第２の磁石Ｍ２は、十分離れている。図２（ｂ）に示すように、扉３の閉時において、第１の磁石Ｍ１及び第２の磁石Ｍ２は、互いに異極で対向している。図２（ｂ）に示した、扉３の閉時、第１の磁石Ｍ１及び第２の磁石Ｍ２の異極同士が引き合う磁気力の作用（磁石の吸引力）によって、扉３は、閉位置（加熱庫２の開口が完全かつ安全に閉まった状態における、使用者から見た扉３の前後方向の位置）に安定される。
【００２６】
使用者は、扉３の開状態（図２（ａ））から扉３を閉める動作をした場合、扉３の閉位置の若干前において、第１の磁石Ｍ１及び第２の磁石Ｍ２の吸引力によって、扉３が閉位置（図２（ｂ））に引き付けられる。したがって、使用者は、扉が完全に閉まったかどうかを明確に感じ取ることができる。
【００２７】
また、第１の磁石Ｍ１及び第２の磁石Ｍ２の吸引力によって、扉３は、閉位置で安定される。したがって、被ガイド部６及びガイド部７にベアリングやローラー等を用いて摺動性を良くした場合においても、加熱調理器の設置箇所の微小な傾きや、外部からの振動等によって、扉が勝手に開くことはない。
また、磁石の位置や磁力の強さを調整することで、扉３の加熱庫２の開口に対する密閉性を高めることができる。この場合、扉３と開口との間にパッキン等のシール部材を設けると、扉３と開口の隙間から煙を漏れにくくすることができる。
【００２８】
また、第１の磁石Ｍ１と第２の磁石Ｍ２とは非接触であるので、扉３の閉時に不快な金属音や騒音を発生することがなく、使用期間を経ても、磨耗による信頼性の低下も無い。
【００２９】
上記の構成によれば、加熱庫の扉が閉位置にある場合に低コストに安定感が得られ、扉の密閉性を向上させることができる加熱調理器を実現できる、という有利な効果を奏する。
【００３０】
本実施例において、第１の磁石Ｍ１は使用者から見てガイド部７の奥側に設けられ、第２の磁石Ｍ２は、使用者から見て被ガイド部６の奥側に設けられた。しかし、これに限らず、扉３の閉時に、第１の磁石Ｍ１及び第２の磁石Ｍ２が互いに異極で対向する位置であれば、使用者から見て手前、あるいは中間辺りに設けられても良い。
【実施例２】
【００３１】
図３及び図４を参照して、実施例２における本発明の加熱調理器について説明する。図３は、本実施例における加熱調理器２０１の要部の構成を示す図である。
【００３２】
図３において、本実施例における加熱調理器２０１は、第１の磁石Ｍ１及び第２の磁石Ｍ２に代えて第１の磁石Ｍ２１及び第２の磁石Ｍ２２を有する点において、図１を用いて説明した実施例１の加熱調理器１とは異なる。それ以外の点においては実施例１と同様であり、図１と同一符号を付した要素についての詳細な説明は省略する。
【００３３】
図３を参照して、本発明の加熱調理器２０１の主要部分について説明する。
図３において、ガイド部７は、加熱庫２の外側の側面に固定されている。ガイド部７の所定の位置には、第１の磁石Ｍ２１が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ２２が配設されている。第１の磁石Ｍ２１及び第２の磁石Ｍ２２は、扉３の開位置で互いに異極で対向するように配設される。
【００３４】
図４は、扉３の閉時及び開時における第１の磁石Ｍ２１及び第２の磁石Ｍ２２の位置関係を示す図である。図４（ａ）に示すように、扉３の開時において、第１の磁石Ｍ２１及び第２の磁石Ｍ２２は、互いに異極で対向している。図４（ｂ）に示すように、扉３の閉時において、第１の磁石Ｍ２１及び第２の磁石Ｍ２２は、十分離れている。図４（ａ）に示した、扉３の開時、第１の磁石Ｍ２１及び第２の磁石Ｍ２２の異極同士が引き合う磁気力の作用（磁石の吸引力）によって、扉３は、開位置（加熱庫２の開口が開き、受皿５を容易に着脱できる状態における、使用者から見た扉３の前後方向の位置）に安定される。
【００３５】
使用者は、扉３の閉状態（図４（ｂ））から扉３を開ける動作をした場合、扉３の開位置の若干前において、第１の磁石Ｍ２１及び第２の磁石Ｍ２２の吸引力によって、扉３が開位置（図４（ａ））に引き付けられる。したがって、使用者は、扉が完全に開いたかどうかを明確に感じ取ることができる。
【００３６】
また、第１の磁石Ｍ２１及び第２の磁石Ｍ２２の吸引力によって、扉３は、開位置に安定される。したがって、被ガイド部６及びガイド部７にベアリングやローラー等を用いて摺動性を良くした場合においても、加熱調理器の設置箇所の微小な傾きや、外部からの振動等によって、扉が勝手に閉じることはない。
【００３７】
また、第１の磁石Ｍ２１と第２の磁石Ｍ２２とは非接触であるので、扉３の開時に不快な金属音や騒音を発生することがなく、使用期間を経ても磨耗による信頼性の低下も無い。
【００３８】
上記の構成によれば、加熱庫の扉が開位置にある場合に低コストに安定感が得られる加熱調理器を実現できる、という有利な効果を奏する。
【実施例３】
【００３９】
図５及び図６を参照して、実施例３における本発明の加熱調理器について説明する。図５は、本実施例における加熱調理器３０１の要部の構成を示す図である。
【００４０】
図５において、本実施例における加熱調理器３０１は、第１の磁石Ｍ１及び第２の磁石Ｍ２に代えて第１の磁石Ｍ３１、第２の磁石Ｍ３２、及び第３の磁石Ｍ３３を有する点において、図１を用いて説明した実施例１の加熱調理器１とは異なる。それ以外の点においては実施例１と同様であり、図１と同一符号を付した要素についての詳細な説明は省略する。
【００４１】
図５を参照して、本発明の加熱調理器３０１の主要部分について説明する。
図５において、ガイド部７は、加熱庫２の外側の側面に固定されている。ガイド部７の所定の位置には、第１の磁石Ｍ３１及び第３の磁石Ｍ３３が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ３２が配設されている。第１の磁石Ｍ３１と第２の磁石Ｍ３２、及び、第２の磁石Ｍ３２と第３の磁石Ｍ３３は、それぞれ扉３の閉位置及び開位置で互いに異極で対向するように配設される。
【００４２】
図６は、扉３の閉時及び開時における第１の磁石Ｍ３１、第２の磁石Ｍ３２、及び第３の磁石Ｍ３３の位置関係を示す図である。図６（ａ）に示すように、扉３の開時において、第３の磁石Ｍ３３及び第２の磁石Ｍ３２が、互いに異極で対向している。図６（ｂ）に示すように、扉３の閉時において、第１の磁石Ｍ３１及び第２の磁石Ｍ３２が、互いに異極で対向している。図６（ａ）に示した扉３の開時、第３の磁石Ｍ３３及び第２の磁石Ｍ３２の異極同士が引き合う磁気力の作用（磁石の吸引力）によって、扉３は、開位置（加熱庫２の開口が開き、受皿５を容易に着脱できる状態における、使用者から見た扉３の前後方向の位置）に安定される。また、図６（ｂ）に示した扉３の閉時、第１の磁石Ｍ３１及び第２の磁石Ｍ３２の異極同士が引き合う磁気力の作用（磁石の吸引力）によって、扉３は、閉位置（加熱庫２の開口が完全かつ安全に閉まった状態における、使用者から見た扉３の前後方向の位置）に安定される。
【００４３】
使用者は、扉３の閉状態（図６（ｂ））から扉３を開ける動作をした場合、扉３の開位置の若干前において、第３の磁石Ｍ３３及び第２の磁石Ｍ３２の吸引力によって、扉３が開位置（図６（ａ））に引き付けられる。また、使用者は、扉３の開状態（図６（ａ））から扉３を閉める動作をした場合、扉３の閉位置の若干前において、第１の磁石Ｍ３１及び第２の磁石Ｍ３２の吸引力によって、扉３が閉位置（図６（ｂ））に引き付けられる。したがって、使用者は、扉が完全に開いたかどうか、及び、扉が完全に閉じたかどうかを明確に感じ取ることができる。
【００４４】
また、第１の磁石Ｍ３１と第２の磁石Ｍ３２、及び、第３の磁石Ｍ３３と第２の磁石Ｍ３２の吸引力によって、扉３は、閉位置及び開位置で安定される。したがって、被ガイド部６及びガイド部７にベアリングやローラー等を用いて摺動性を良くした場合においても、加熱調理器の設置箇所の微小な傾きや、外部からの振動等によって、扉３が勝手に開いたり閉じたりすることはない。
【００４５】
また、第１の磁石Ｍ３１と第２の磁石Ｍ３２、及び、第３の磁石Ｍ３３と第２の磁石Ｍ３２は非接触であるので、扉３の閉時及び開時に不快な金属音や騒音を発生することがなく、使用期間を経ても磨耗による信頼性の低下も無い。
【００４６】
上記の構成によれば、加熱庫の扉が閉位置及び開位置にある場合に低コストに安定感が得られる加熱調理器を実現できる、という有利な効果を奏する。
【実施例４】
【００４７】
図７及び図８を参照して、実施例４における本発明の加熱調理器について説明する。図７は、本実施例における加熱調理器４０１の要部の構成を示す図である。
【００４８】
図７において、本実施例における加熱調理器４０１は、第１の磁石Ｍ１及び第２の磁石Ｍ２に代えて第１の磁石Ｍ４１、第２の磁石Ｍ４２、及び第３の磁石Ｍ４３を有する点において、図１を用いて説明した実施例１の加熱調理器１とは異なる。それ以外の点においては実施例１と同様であり、図１と同一符号を付した要素についての詳細な説明は省略する。
【００４９】
図７を参照して、本発明の加熱調理器４０１の主要部分について説明する。
図７において、ガイド部７は、加熱庫２の外側の側面に固定されている。ガイド部７の所定の位置には、第１の磁石Ｍ４１が配設されている。被ガイド部６は、扉支持部４に固定されている。換言すれば、扉３は、扉支持部４を介して被ガイド部６に装着されている。受皿５は、受皿支持部８及び扉支持部４を介して被ガイド部６に着脱可能に支持されている。被ガイド部６の所定の位置には、第２の磁石Ｍ４２及び第３の磁石Ｍ４３が配設されている。第１の磁石Ｍ４１と第３の磁石Ｍ４３、及び、第１の磁石Ｍ４１と第２の磁石Ｍ４２は、それぞれ扉３の閉位置及び開位置で互いに異極で対向するように配設される。
【００５０】
図８は、扉３の閉時及び開時における第１の磁石Ｍ４１、第２の磁石Ｍ４２、及び第３の磁石Ｍ４３の位置関係を示す図である。図８（ａ）に示すように、扉３の開時において、第１の磁石Ｍ４１及び第２の磁石Ｍ４２が、互いに異極で対向している。図８（ｂ）に示すように、扉３の閉時において、第１の磁石Ｍ４１及び第３の磁石Ｍ４３が、互いに異極で対向している。図８（ａ）に示した扉３の開時、第１の磁石Ｍ４１及び第２の磁石Ｍ４２の異極同士が引き合う磁気力の作用（磁石の吸引力）によって、扉３は、開位置（加熱庫２の開口が開き、受皿５を容易に着脱できる状態における、使用者から見た扉３の前後方向の位置）に安定される。また、図８（ｂ）に示した扉３の閉時、第１の磁石Ｍ４１及び第３の磁石Ｍ４３の異極同士が引き合う磁気力の作用（磁石の吸引力）によって、扉３は、閉位置（加熱庫２の開口が完全かつ安全に閉まった状態における、使用者から見た扉３の前後方向の位置）に安定される。
【００５１】
使用者は、扉３の閉状態（図８（ｂ））から扉３を開ける動作をした場合、扉３の開位置の若干前において、第１の磁石Ｍ４１及び第２の磁石Ｍ４２の吸引力によって、扉３が開位置（図８（ａ））に引き付けられる。また、使用者は、扉３の開状態（図８（ａ））から扉３を閉める動作をした場合、扉３の閉位置の若干前において、第１の磁石Ｍ４１及び第３の磁石Ｍ４３の吸引力によって、扉３が閉位置（図８（ｂ））に引き付けられる。したがって、使用者は、扉が完全に開いたかどうか、及び、扉が完全に閉じたかどうかを明確に感じ取ることができる。
【００５２】
また、第１の磁石Ｍ４１と第２の磁石Ｍ４２、及び、第１の磁石Ｍ４１と第３の磁石Ｍ４３の吸引力によって、扉３は、閉位置及び開位置で安定される。したがって、被ガイド部６及びガイド部７にベアリングやローラー等を用いて摺動性を良くした場合においても、加熱調理器の設置箇所の微小な傾きや、外部からの振動等によって、扉３が勝手に開いたり閉じたりすることはない。
【００５３】
また、第１の磁石Ｍ４１と第２の磁石Ｍ４２、及び、第１の磁石Ｍ４１と第３の磁石Ｍ４３は非接触であるので、扉３の閉時及び開時に不快な金属音や騒音を発生することがなく、使用期間を経ても磨耗による信頼性の低下も無い。
【００５４】
上記の構成によれば、低コストに加熱庫の扉が閉位置及び開位置にある場合に安定感が得られる加熱調理器を実現できる、という有利な効果を奏する。
【００５５】
なお、実施例１〜４において、ガイド部７の所定の位置に固定された各磁石（Ｍ１、Ｍ２１、Ｍ３１、Ｍ３３、Ｍ４１）は、加熱庫２の外部に設けられ、かつ、被ガイド部６と連動しない部材であれば、ガイド部７以外の他の部材に固定されても良く（例えば、加熱庫２の外側の側面に直接、あるいは、他の部材を介して固定される等。）、本発明の上記各実施例と同等の効果を奏する。同様に、被ガイド部６の所定の位置に固定された各磁石（Ｍ２、Ｍ２２、Ｍ３２、Ｍ４２、Ｍ４３）は、被ガイド部６と連動可能であれば、被ガイド部６以外の他の部材（例えば、扉支持部４に固定された他の部材）に固定されても良く、本発明の上記各実施例と同等の効果を奏する。
【００５６】
また、実施例１〜４において、ガイド部７は、加熱庫２の外側の側面に直接固定されたが、加熱庫２の外側の側面に他の部材を介して固定されても良く、あるいは、加熱庫２の外部に設けられた、加熱調理器１の他の構成要素に固定されても良い。
【産業上の利用可能性】
【００５７】
本発明にかかる加熱調理器は、例えば、誘導加熱調理器のグリルとして利用することができる。
【図面の簡単な説明】
【００５８】
【図１】本発明の実施例１における、加熱調理器の要部の構成を示す図
【図２】本発明の実施例１における、加熱調理器における扉の開時及び閉時の第１の磁石及び第２の磁石の位置関係を示す図
【図３】本発明の実施例２における、加熱調理器の要部の構成を示す図
【図４】本発明の実施例２における、加熱調理器における扉の開時及び閉時の第１の磁石及び第２の磁石の位置関係を示す図
【図５】本発明の実施例３における、加熱調理器の要部の構成を示す図
【図６】本発明の実施例３における、加熱調理器における扉の開時及び閉時の第１の磁石、第２の磁石、及び第３の磁石の位置関係を示す図
【図７】本発明の実施例４における、加熱調理器の要部の構成を示す図
【図８】本発明の実施例４における、加熱調理器における扉の開時及び閉時の第１の磁石、第２の磁石、及び第３の磁石の位置関係を示す図
【図９】本発明の実施例１における、加熱調理器の構成を示す図
【符号の説明】
【００５９】
１、２０１、３０１、４０１  加熱調理器
２  加熱庫
３  扉
４  扉支持部
５  受皿
６  被ガイド部
７  ガイド部
８  受皿支持部
９  ヒータ
１０  焼き網
１１、１７  被加熱物
１２  電磁誘導コイル
１３  排気口
１４  ガラストッププレート
１５  鍋
ＣＢ  キャビネット
Ｍ１、Ｍ２、Ｍ２１、Ｍ２２、Ｍ３１〜Ｍ３３、Ｍ４１〜Ｍ４３  磁石
【図１】
2006308253.tif 000003
【図２】
2006308253.tif 000004
【図３】
2006308253.tif 000005
【図４】
2006308253.tif 000006
【図５】
2006308253.tif 000007
【図６】
2006308253.tif 000008
【図７】
2006308253.tif 000009
【図８】
2006308253.tif 000010
【図９】
2006308253.tif 000011